(57)【特許請求の範囲】
【請求項１】
主表面を有するスクリーンパネルと、
前記スクリーンパネルの前記主表面に対して、接着剤部を介して接合された筐体部材と、
前記スクリーンパネルと前記筐体部材とによって少なくとも一部が挟み込まれたクッション材とを備え、
前記クッション材の前記スクリーンパネルと前記筐体部材とによって挟み込まれた部分は、前記接着剤部に対向しており、
前記筐体部材は、前記スクリーンパネルに向かって突出するかさ上げ部を含み、平面的に見て前記かさ上げ部は前記接着剤部に沿って配置されており、前記クッション材が前記接着剤部に対向する箇所では前記かさ上げ部が途切れている、スクリーンパネル保持構造体。
【請求項２】
主表面を有するスクリーンパネルと、
前記スクリーンパネルの前記主表面に対して、接着剤部を介して接合された筐体部材と、
前記スクリーンパネルと前記筐体部材とによって少なくとも一部が挟み込まれたクッション材とを備え、
前記クッション材の前記スクリーンパネルと前記筐体部材とによって挟み込まれた部分は、前記接着剤部に対向しており、
前記スクリーンパネルの前記主表面に対向するように被保持部品が配置されており、前記クッション材は前記スクリーンパネルと前記筐体部材とによって挟み込まれていない部分を有し、前記クッション材のうちの少なくとも一部は、前記被保持部品と前記スクリーンパネルとによって挟み込まれており、
前記被保持部品は撮像装置である、スクリーンパネル保持構造体。
【請求項３】
前記筐体部材は、前記スクリーンパネルに向かって突出するかさ上げ部を含み、平面的に見て前記かさ上げ部は前記接着剤部に沿って配置されており、前記クッション材が前記接着剤部に対向する箇所では前記かさ上げ部が途切れている、請求項２に記載のスクリーンパネル保持構造体。
【請求項４】
前記スクリーンパネルの前記主表面に対向するように被保持部品が配置されており、前記クッション材は前記スクリーンパネルと前記筐体部材とによって挟み込まれていない部分を有し、前記クッション材のうちの少なくとも一部は、前記被保持部品と前記スクリーンパネルとによって挟み込まれている、請求項１に記載のスクリーンパネル保持構造体。
【請求項５】
平面的に見て、前記クッション材は前記被保持部品を取り囲む環状である、請求項２または４に記載のスクリーンパネル保持構造体。
【請求項６】
前記クッション材は、前記接着剤部に直接接している、請求項１から５のいずれかに記載のスクリーンパネル保持構造体。
【請求項７】
前記スクリーンパネルはサファイアを含む、請求項１から６のいずれかに記載のスクリーンパネル保持構造体。
【請求項８】
前記接着剤部は防水性を有する接着剤によって形成されている、請求項１から７のいずれかに記載のスクリーンパネル保持構造体。
【請求項９】
平面的に見て、前記接着剤部は環状に配置されており、前記クッション材は前記接着剤部の内側に配置されている、請求項１から８のいずれかに記載のスクリーンパネル保持構造体。
【請求項１０】
前記被保持部品は撮像装置である、請求項２から５のいずれかに記載のスクリーンパネル保持構造体。
【請求項１１】
請求項１から１０のいずれかに記載のスクリーンパネル保持構造体を備える、電子機器。
【発明の詳細な説明】
【技術分野】
【０００１】
本開示は、スクリーンパネル保持構造体および電子機器に関するものである。
【背景技術】
【０００２】
携帯端末機器にカメラユニットを備えるに当たって、緩衝材を用いる構造が、特開２００４−２００９４４号公報（特許文献１）に記載されている。
【先行技術文献】
【特許文献】
【０００３】
【特許文献１】特開２００４−２００９４４号公報
【発明の概要】
【発明が解決しようとする課題】
【０００４】
スクリーンパネルと筐体とを貼り合わせるために接着剤が用いられる場合がある。接着剤に流動性があること、あるいは、接着剤の塗布量にばらつきが生じることによって、貼り合わせた際に接着剤が塗布範囲の外側にはみ出す場合がある。
【０００５】
はみ出した接着剤が不所望の領域にはみ出さないように、接着剤を塗布する領域の近傍において筐体にリブを設ける場合がある。
【０００６】
一方、カメラなど何らかの装置をスクリーンパネルに対してクッション材を介して近接するように配置する場合には、クッション材は上述のリブを避けて、接着剤から離隔した位置に配置される。リブ自体がある程度のスペースを要するので、省スペース化の妨げとなる。
【０００７】
そこで、本開示は、リブの設置箇所をなるべく減らしつつ接着剤のはみ出しを防止することができるスクリーンパネル保持構造体および電子機器を提供することを目的とする。
【課題を解決するための手段】
【０００８】
上記目的を達成するため、本開示に基づくスクリーンパネル保持構造体は、主表面を有するスクリーンパネルと、上記スクリーンパネルの上記主表面に対して、接着剤部を介して接合された筐体部材と、上記スクリーンパネルと上記筐体部材とによって少なくとも一部が挟み込まれたクッション材とを備え、上記クッション材の上記スクリーンパネルと上記筐体部材とによって挟み込まれた部分は、上記接着剤部に対向している。
【発明の効果】
【０００９】
本開示によれば、リブの設置箇所をなるべく減らしつつ接着剤のはみ出しを防止することができる。
【図面の簡単な説明】
【００１０】
【図１】本開示に基づく実施の形態１における電子機器の平面図である。
【図２】本開示に基づく実施の形態２におけるスクリーンパネル保持構造体の平面図である。
【図３】図２におけるＺ部の拡大平面図である。
【図４】図３におけるＩＶ−ＩＶ線に関する矢視断面図である。
【図５】図３におけるＶ−Ｖ線に関する矢視断面図である。
【図６】本開示に基づく実施の形態２におけるスクリーンパネル保持構造体に備わるクッション材の斜視図である。
【図７】本開示に基づく実施の形態２におけるスクリーンパネル保持構造体に備わる筐体部材の部分拡大斜視図である。
【発明を実施するための形態】
【００１１】
（実施の形態１）
（構成）
図１〜図２を参照して、本開示に基づく実施の形態１における電子機器について説明する。図１に示すように、電子機器２０１は、スクリーンパネル１と、外装カバー７と、被保持部品６を備える。被保持部品６は撮像装置であってよい。あるいは、被保持部品６は撮像装置を含む何らかの部品であってもよい。あるいは、被保持部品６は、撮像装置以外の何らかの部品であってもよい。電子機器２０１は、たとえばスクリーンパネル１の少なくとも一部の領域を利用するようにして表示部１２を有する。図１に示した電子機器２０１から外装カバー７を外した状態を図２に示す。図２ではスクリーンパネル保持構造体１０１が見えている。スクリーンパネル保持構造体１０１は筐体部材２を含む。スクリーンパネル１は透明であるので、スクリーンパネル１を透過してスクリーンパネル１の向こう側にある環状の接着剤部３が見えている。接着剤部３の内側に表示装置１３が配置されている。表示装置１３はスクリーンパネル１の向こう側に配置されている。表示装置１３の一部が表示部１２となっている。
【００１２】
電子機器２０１は、スクリーンパネル保持構造体１０１を備える。スクリーンパネル保持構造体１０１について詳しくは後述する。
【００１３】
（作用・効果）
本実施の形態における電子機器２０１においては、スクリーンパネル保持構造体１０１を備えるので、リブの設置箇所をなるべく減らしつつ接着剤のはみ出しを防止することができる。
【００１４】
（実施の形態２）
（構成）
図２〜図７を参照して、本開示に基づく実施の形態２におけるスクリーンパネル保持構造体について説明する。
【００１５】
図２にはスクリーンパネル保持構造体１０１の全体が模式的に示されている。図２におけるＺ部を拡大したところを図３に示す。ただし、説明の便宜のため、図３ではスクリーンパネル１および表示装置１３を取り去った状態で表示している。図３におけるＩＶ−ＩＶ線に関する矢視断面図を図４に示す。図３におけるＶ−Ｖ線に関する矢視断面図を図５に示す。図４および図５においてはスクリーンパネル１も表示している。スクリーンパネル１はたとえばガラス板であってよい。スクリーンパネル１はたとえば透明板であってよい。
【００１６】
スクリーンパネル保持構造体１０１は、主表面１ａを有するスクリーンパネル１と、スクリーンパネル１の主表面１ａに対して、接着剤部３を介して接合された筐体部材２と、スクリーンパネル１と筐体部材２とによって少なくとも一部が挟み込まれたクッション材４とを備える。クッション材４のスクリーンパネル１と筐体部材２とによって挟み込まれた部分は、接着剤部３に対向している。特に本実施の形態では好ましいことに、クッション材４の挟み込まれた部分は、接着剤部３に対して、間に他の物体を介在することなく対向している。本実施の形態では、接着剤部３は線状に配置されたものである。本実施の形態では好ましいことに、接着剤部３は環状に配置されたものである。
【００１７】
クッション材４を単独で取り出したところを図６に示す。クッション材４は円環形状を有している。クッション材４は中央に円形の貫通孔を有していることを除けば一定の厚みを有している。ただし、ここで示すクッション材４の形状はあくまで一例であって、この通りとは限らない。たとえばクッション材４の外形は円形以外であってもよい。クッション材４に設けられる貫通孔の形状は円形以外であってもよい。
【００１８】
スクリーンパネル保持構造体１０１に含まれる筐体部材２のうち、図３に示される範囲とほぼ同じ部分を取り出したところを図７に示す。図７では、接着剤部３、クッション材４、スクリーンパネル１、被保持部品６を配置する前の状態を示している。筐体部材２の内側には表示装置１３の形状に対応して適当な凹部が用意され、表示装置配置部１４となっている。
【００１９】
筐体部材２は、単独で筐体の全体を構成するものであってもよいが、筐体の一部をなすものであってもよい。本実施の形態では、筐体部材２は筐体の一部をなすものとして扱う。
【００２０】
筐体部材２は、たとえば樹脂からなるものであってよい。樹脂により一体成型されたものであってもよいが、樹脂製の複数の部品を組み合わせたものであってもよい。また、筐体部材２は、樹脂製の部品と金属製の部品とを組み合わせたものであってもよい。
【００２１】
筐体部材２は、かさ上げ部５を備える。ここで示した例では、かさ上げ部５は表示装置配置部１４の外側に設けられている。かさ上げ部５は、部分５ａと部分５ｂとを含む。図３、図７に示すように、かさ上げ部５は、クッション材４が割り込むことによって途中で途切れ、部分５ａと部分５ｂとに分かれている。図７に示すように、部分５ａと部分５ｂとの間にクッション材配置部１０が設けられている。クッション材配置部１０は、クッション材４に対応した形状の凹部である。ここで示した例では、クッション材４の外形が円形であるので、クッション材配置部１０はほぼ円形の凹部となっている。クッション材配置部１０の底部中央には貫通孔１１が設けられている。図７に示した部分５ａ，５ｂの形状はあくまで一例であって、この通りとは限らない。
【００２２】
図５に示すように、かさ上げ部５の上面は、スクリーンパネル１に対して当接せずわずかに離隔して対向している。かさ上げ部５の上面は、スクリーンパネル１に当接していてもよい。
【００２３】
筐体部材２は、スクリーンパネル配置部９を有する。スクリーンパネル配置部９は環状に設けられた段差であり、環状に連なった平坦面となっている。筐体部材２は、スクリーンパネル配置部９の内側に接着剤配置部８を有する。接着剤配置部８は環状に連なる領域であり、溝となっている部分と段差となっている部分とを含む。スクリーンパネル１の外縁近傍の部分がスクリーンパネル配置部９に載る。接着剤配置部８の底面は傾斜していてもよい。
【００２４】
図３および図７に示すように、表示装置配置部１４の端から筐体部材２の外側の端までの直線距離Ｌを「セット長」と呼ぶ。
【００２５】
（作用・効果）
本実施の形態では、クッション材４の挟み込まれた部分が接着剤部３に対向しているので、リブの設置箇所をなるべく減らしつつ接着剤のはみ出しを防止することができる。特に、セット長Ｌの短縮を図ることができる。さらに省スペース化を図るためには、クッション材４の挟み込まれた部分は、接着剤部３に対して、間に他の物体を介在することなく対向していることが好ましい。
【００２６】
図３および図７に示すように、筐体部材２は、スクリーンパネル１に向かって突出するかさ上げ部５を含み、平面的に見てかさ上げ部５は接着剤部３に沿って配置されており、クッション材４が接着剤部３に対向する箇所ではかさ上げ部５が途切れていることが好ましい。このように筐体部材２がかさ上げ部５を含んでいれば、クッション材４がある箇所以外では、かさ上げ部５によって接着剤部３からの接着剤のはみ出しを抑えることができる。かさ上げ部５とスクリーンパネル１との間に隙間がある場合には接着剤部３からはみ出した接着剤の一部は、この隙間に入りうるが、接着剤の自由な移動をある程度阻害することができる。クッション材４はスクリーンパネル１に対して押し当てられているので、接着剤部３からはみ出した接着剤はクッション材４の環の内側には入り込まない。
【００２７】
スクリーンパネル１の主表面１ａに対向するように被保持部品６が配置されており、クッション材４はスクリーンパネル１と筐体部材２とによって挟み込まれていない部分を有し、クッション材４のうちの少なくとも一部は、被保持部品６とスクリーンパネル１とによって挟み込まれていることが好ましい。この構成を採用することにより、被保持部品６はクッション材４を介して支持される形となり、クッション材４は振動や衝撃をある程度吸収するので、他の部材から振動や衝撃が被保持部品６に伝わる度合を緩和することができる。
【００２８】
平面的に見て、クッション材４は被保持部品６を取り囲む環状であることが好ましい。この構成を採用することにより、被保持部品６を安定して支持することができる。クッション材４の内側の領域は、接着剤が入り込まない領域として確保されるので、接着剤が被保持部品６に接触することを防止することができる。なお、クッション材４の形状はさまざまなものが考えられ、環状であることが好ましいが、環状ではない形状のクッション材もありうる。
【００２９】
クッション材４は、接着剤部３に直接接していることが好ましい。この構成を採用することにより、接着剤部３とクッション材４との間に存在する余分なスペースをなくすことになるので、省スペース化を図ることができる。たとえばセット長を短くすることができる。
【００３０】
スクリーンパネル１は、たとえば板状であって、平面視において一定の長手方向を有する形状をなしている。図１に示した例では、スクリーンパネル１は全体が略長方形をなしている。スクリーンパネル１は全体が平面形状を有するものであってもよいし、少なくとも一部に湾曲形状を有するものであってもよい。
【００３１】
スクリーンパネル１は、ガラス、樹脂材料、結晶性材料などから主に構成される。樹脂材料としては、たとえば、アクリル樹脂などが挙げられる。結晶性材料としては、たとえばサファイアが挙げられる。
【００３２】
スクリーンパネル１はサファイアを含むことが好ましい。この構成を採用することにより、光透過性および硬度に優れた構造とすることができる。たとえばスクリーンパネル１の全体をサファイアガラスによって形成することが好ましい。
【００３３】
ここで、「サファイア」とは、アルミナ（Ａｌ２Ｏ３）を主成分とする単結晶のことをいい、本明細書では、Ａｌ２Ｏ３純度が約９０％以上の単結晶のことをいう。傷がよりつきにくくなるという点で、Ａｌ２Ｏ３純度は９９％以上であることが好ましい。スクリーンパネル１の材料としては他に、たとえば、ダイヤモンド、ジルコニア、チタニア、水晶、タンタル酸リチウム、酸化窒化アルミニウムなどが挙げられる。これらも、傷がよりつきにくくなるという点で、純度が約９０％以上の単結晶であることが好ましい。なお、スクリーンパネル１は、サファイア単体から構成されるパネルであってもよいが、その他に、ガラスパネルとサファイアパネルと貼り合わせて形成されたパネルであってもよい。
【００３４】
本実施の形態では、スクリーンパネル１は、電子機器の表面に配置されるサファイアからなる層を含む一層構造のパネルであるものとして示したが、スクリーンパネル１は、当該層を含む複数層構造の複合パネル（積層パネル）であってもよい。たとえば、スクリーンパネル１は、電子機器２０１の表面に配置されるサファイアからなる層（サファイアパネル）と、このサファイアからなる層に貼り付けられたガラスからなる層（ガラスパネル）とで構成された２層構造の複合パネルであってもよい。また、スクリーンパネル１は、電子機器２０１の表面に配置されるサファイアからなる層（サファイアパネル）と、このサファイアからなる層に貼り付けられたガラスからなる層（ガラスパネル）と、このガラスからなる層に貼り付けられたサファイアからなる層（サファイアパネル）とで構成された３層構造の複合パネルであってもよい。
【００３５】
スクリーンパネル１は、サファイア以外の結晶性材料、たとえば、ダイヤモンド、ジルコニア、チタニア、水晶、タンタル酸リチウム、酸化窒化アルミニウムなどからなる層を含んでいてもよい。
【００３６】
接着剤部３は防水性を有する接着剤によって形成されていることが好ましい。この構成を採用することにより、スクリーンパネル１の外周から内側に水などが侵入することを防止することができる。
【００３７】
平面的に見て、接着剤部３は環状に配置されており、クッション材４は接着剤部３の内側に配置されていることが好ましい。接着剤部３が環状に配置されていることによりスクリーンパネル１は安定して保持されることとなる。また、接着剤部３が環状に配置されていることによりスクリーンパネル１の裏側に異物が侵入する確率を低減することができる。クッション材４が接着剤部３の外側に配置されている構成も考えられるが、クッション材４が接着剤部３の内側に配置されていることにより、クッション材４および被保持部品６を清浄度の高い位置に配置することができる。
【００３８】
接着剤部３は、環状以外の形状であってもよい。接着剤部３は、線状以外の形状を含んでいてもよい。
【００３９】
被保持部品６は撮像装置であることが好ましい。この構成を採用することにより、スクリーンパネル１を介して対象物を撮影することが可能となる。
【００４０】
なお、上記各実施の形態では、１つの筐体部材２に１つのクッション材４が備わっている例を示したが、１つの筐体部材に２以上のクッション材が備わっているものであってもよい。これらの２以上のクッション材は、異なる形状、用途、材質の組合せであってもよい。
【００４１】
なお、上記実施の形態のうち複数を適宜組み合わせて採用してもよい。
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電子辞書、電子書籍リーダー、デジタルカメラ、ビデオカメラ、ラジオ受信機、カーナビゲーションシステムなどを含む広い概念である。携帯電話または携帯情報端末の概念にはスマートフォンが含まれる。
【００４２】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００４３】
１  スクリーンパネル、１ａ  主表面、２  筐体部材、３  接着剤部、４  クッション材、５  かさ上げ部、５ａ，５ｂ  部分、６  被保持部品、７  外装カバー、８  接着剤部配置部、９  スクリーンパネル配置部、１０  クッション材配置部、１１  貫通孔、１２  表示部、１３  表示装置、１４  表示装置配置部、１０１  スクリーンパネル保持構造体、２０１  電子機器。
【図１】
0006483472.tif 000002
【図２】
0006483472.tif 000003
【図３】
0006483472.tif 000004
【図４】
0006483472.tif 000005
【図５】
0006483472.tif 000006
【図６】
0006483472.tif 000007
【図７】
0006483472.tif 000008